(57)【要約】【課題】    生理用タンポンにおいて、生理終了時近くに人体に苦痛を与えることなく、容易に膣腔内に挿入し得るしかも挿入後における違和感、不快感を減少して安易に使用し得る体にやさしいソフトタイプのようにした。【解決手段】  膣腔内に挿入して使用する生理用タンポンにおいて、前記生理用タンポン本体に膣腔内に挿入時における摩擦抵抗および膣腔内に挿入後における違和感、不快感を減少するための所要量の潤滑剤を附与した。【選択図】  図１
2006167407.tif 000002
【特許請求の範囲】
【請求項１】
膣腔内に挿入して使用する生理用タンポンにおいて、前記生理用タンポン本体に膣腔内挿入時における摩擦抵抗および膣腔内挿入後における違和感、不快感を減少するための所要量の潤滑剤を附与したことを特徴とする生理用タンポン。
【請求項２】
請求項１に記載の生理用タンポンにおいて前記潤滑剤を附与したタンポン本体を所要の包装材にて包装したことを特徴とする生理用タンポン。
【請求項３】
請求項１に記載の潤滑剤を附与したタンポン本体を先端に開口部を有する外筒内の先端部側に収納するとともに前記外筒内の後端部側に前記タンポン本体を前記外筒の先端開口部から押し出すための内筒を摺動可能に挿入し、全体を所要の包装材にて包装したことを特徴とする生理用タンポン。
【発明の詳細な説明】
【技術分野】
【０００１】  本発明は、生理用タンポンにおいて、特に生理終了時近くに人体に苦痛を与えることなく、容易に膣腔内に挿入し得、しかも挿入後における違和感、不快感を減少して安易に使用し得る体にやさしいソフトタイプの生理用タンポンに関するものである。
【背景技術】
【０００２】  従来、生理用タンポンとして、例えば特開平５−８４２６３号公報、特開平８−１１２３１１号公報、特開２００３−１８０７４２号公報の如きものが開示されている。
【特許文献１】特開平５−８４２６３号公報
【特許文献２】特開平８−１１２３１１公報
【特許文献３】特開２００３−１８０７４２号公報
【発明の開示】
【発明が解決しようとする課題】
【０００３】  ところが、上記従来技術において、特開平５−８４２６３号公報および特開２００３−１８０７４２号公報に開示された生理用タンポンは、いずれも膣腔内に挿入されるタンポンがよく乾燥された高吸収性の綿材料による不織布などで円柱状に形成されたものであるため、生理初期および生理終期など、経血量が少く、湿り度が少い状態の膣腔内によく乾燥された状態のタンポンを挿入する場合は、摩擦抵抗が大きく大変な苦痛を伴という問題点があったと同時に膣腔内挿入後においても、膣腔内壁との摩擦抵抗が大きく違和感、不快感を与えるなどの問題点があった。【０００４】  また、上記従来技術において、特開平８−１１２３１１号公報に開示された生理用タンポンは、膣腔内に挿入されるタンポンの外周を柔軟で高伸縮性材料による網目状の伸縮カバー袋で被着するとともに前記伸縮カバー袋の開口端部をナプキンとして機能する膣外吸収体の内面に一体に縫製したものであって、上記伸縮カバー袋により従来のタンポンにおける局部的なソフトシートの場合よりソフトで滑らかにタンポンを膣腔内へ挿入できるようにしたものであるが、このものの場合は、構造が複雑となり、コスト高となるばかりでなく、膣腔内に挿入後に伸縮カバー袋による違和感、不快感などが残るという問題点があった。
【課題を解決するための手段】
【０００５】  本発明の生理用タンポンは、上記課題を解決することを目的とし、膣腔内に挿入して使用する生理用タンポンにおいて、前記生理用タンポン本体に膣腔内に挿入時における摩擦抵抗および膣腔内に挿入後における違和感、不快感を減少するための所要量の潤滑剤を附与したことを特徴とする。【０００６】  また、本発明の生理用タンポンは、潤滑剤を附与したタンポン本体を所要の包装材にて包装したことを特徴とする。【０００７】  また、本発明の生理用タンポンは、潤滑剤を附与したタンポン本体を先端に開口部を有する外筒内の先端部側に収納するとともに前記外筒内の後端部側に前記タンポン本体を前記外筒の先端開口部から押し出すための内筒を摺動可能に挿入し、全体を所要の包装材にて包装したことを特徴とする。
【発明の効果】
【０００８】  本発明の請求項１記載に係る生理用タンポンは、膣腔内に挿入されるタンポン本体に膣腔内挿入時おける摩擦抵抗および膣腔内挿入後における違和感、不快感を減少するための所要量の潤滑剤を附与したものであるから、生理初期、特に生理終期における経血量が少く、湿り度が少い状態の膣腔内へタンポン本体を挿入する場合に摩擦抵抗を減少し、苦痛を与えることなく、容易に挿入を行うことができるものであり、しかも挿入後における、違和感、不快感をも減少することができるという優れた効果があるばがりでなく、タンポン本体の外周を網目状の伸縮カバー袋で被覆するなどの構造も必要としないので構造的にも簡単であり、コスト的にも安価なものとすることができるなどの効果がある。【０００９】  また、本発明の請求項２記載に係る生理用タンポンは、潤滑剤を附与したタンポン本体を所要の包装材にて包装することにより、長期に亘り潤滑剤およびタンポン本体の生理時における経血あるいは不純物吸収機能を低下することなく保存できるという優れた効果がある。【００１０】  また、本発明の請求項３記載に係る生理用タンポンは、潤滑剤を附与したタンポン本体を、先端に開口部を有する外筒内の先端部側に収納するとともに、前記外筒内の後端部側に前記タンポン本体を前記外筒の先端開口部から押し出すための内筒を摺動可能に挿入し、全体を所要の包装材にて包装したものであるから、使用に際しては、包装材を開封してタンポン本体を収納した外筒を取り出し、前記外筒の先端開口部を膣腔内に挿入し、この状態で内筒を前記外筒の先端開口部側へ摺動することにより、容易にタンポン本体を膣腔内へ挿入することができるものであるが、この場合は、前記タンポン本体には所要量の潤滑剤が附与されているので、前記タンポン本体の膣腔内への挿入を摩擦抵抗を減少し、苦痛を与えることなく、容易に行うことができるものであるとともに挿入後における、違和感、不快感をも減少することができるという優れた効果があるばがりでなく、タンポン本体に附与した潤滑剤を外筒および内筒により他物から長期に亘り保護することができるという効果がある。
【発明を実施するための最良の形態】
【００１１】  本発明は、生理用タンポンにおいて、特に経血量、湿り度が少い生理終了時近くに人体に苦痛を与えることなく、容易に膣腔内に挿入し得、しかも挿入後における違和感、不快感を減少して安易に使用ことができる構造簡単にして安価な、体にやさしいソフトタイプの生理用タンポンを提供する。
【実施例】
【００１２】  以下、図面を参照して本発明に係る生理用タンポンの実施の形態を詳細に説明する。
図１乃至図５は、本発明の請求項１乃至２に生理用タンポンの一実施例を説明するためのものであって、図１は、所要量の潤滑剤をタンポン本体の全面に一様に附与した場合の斜視図である。図２は、同潤滑剤をストライブ状に附与した場合の斜視図である。図３は、同潤滑剤を点状に附与した場合の斜視図である。図４は、同潤滑剤を網目状に附与した場合の斜視図である。図５は、潤滑剤を附与したタンポン本体を所要の包装材で包装した状態の一例を示す斜視図である。
図６乃至図８は、本発明の請求項３に係る生理用タンポンの一実施例を説明するためのものであって、図６は、潤滑剤を附与したタンポン本体を、外筒および内筒からなるタンポン挿入具内に収納した状態の示す一部切欠正面図である。図７は、タンポン本体を外筒の先端開口部から外部へ押し出した状態の一例を示す正面図である。図８は、潤滑剤を附与したタンポン本体を収納したタンポン挿入具を所要の包装材で包装した状態の一例を示す斜視図である。【００１３】  図１乃至図５において、１は、タンポン本体を示し、前記タンポン本体１は、例えば高吸収性の綿材料による不織布などで円柱状に形成されて膣腔内に挿着される吸収体１ａと、先端側が前記吸収体１ａと一体に縫製された引き出し用のひも２で構成されているとともに、前記吸収体１ａには前記タンポン本体１を膣腔内に挿入する時に膣腔との摩擦抵抗を減少し、かつ膣腔内挿入後における違和感、不快感を減少するための所要量からなる潤滑剤３が附与されている。４は、所要の包装材であって、前記タンポン本体１および引き出し用のひも２を包装して包装体４ａとなしたものである。【００１４】  なお、上記タンポン本体１の吸収体１ａに附与される潤滑剤３は、当然のことながら人体に害を与えない周知のもので、液状、クリーム状（軟膏状も含む）いずれのものでもよく、液状の場合は、図１示のように吸収体１ａの表層部に含浸させたものとし、クリーム状の場合は、吸収体１ａの全面に一様に附与（塗布、塗着、含浸を含む）したものの外、図２乃至図４に示ように種々の形態に附与したものとすることができる。【００１５】  また、包装材４は、例えばプラスチックフイルム、金属箔とプラスチックフイルムのラミネート体、紙とプラスチックフイルムのラミネート体など、種々のものを、用いることができ、また、包装体４ａの包装形態は密封包装、多少の通気性を有するものなど、種々のものを、用いことができるとともに使用条件によってはタンポン本体１の潤滑剤の量を変えて生理初期用、生理中期用、生理終期用などの数種類に分け、これを識別可能に色分けした包装材にて個別または、所要数のセットに包装して販売することもできるなど広い範囲の利用が可能である。【００１６】  図６乃至図８において、５は、外筒５ａにおよび内筒５ｂからなる従来周知のタンポン挿入具であって、図６示のように、前記外筒５ａの先端部には先端開口部５ｃが設けられているとともに前記外筒５ａ内の側には潤滑剤３を附与したタンポン本体１が収納されており、さらに前記外筒５ａの後端部側には、前記タンポン本体１を図７示のように、前記外筒５ａの先端開口部５ｃから外部へ押し出すための前記内筒５ｂが摺動可能に挿入されている。【００１７】  なお、使用に際しては、前記挿入具５を包装体４ａ内から取り出し、外筒５ａの先端開口部５ｃを膣腔内に挿入し、この状態で、前記内筒５ｂを前記外筒５ａの先端開口部５ｃ側へ摺動することより、容易にタンポン本体１を膣腔内に挿入することができるものである。
【産業上の利用可能性】
【００１８】  なお、本実施例では、生理用タンポンに使用される潤滑剤が液体、クリーム状のものについて説明したが、これに限らず、他の性状の潤滑剤を適用できること勿論である。
【図面の簡単な説明】
【００１９】
【図１】  本発明に係る生理用タンポンの潤滑剤をタンポン本体の全面に一様に附与した場合の一例を示す斜視図である。
【図２】  発明に係る生理用タンポンの潤滑剤をタンポン本体にストライド状に附与した場合の一例を示す斜視図である。
【図３】  本発明に係る生理用タンポンの潤滑剤をタンポン本体に点状に附与した場合の一例を示す斜視図である。
【図４】  発明に係る生理用タンポンの潤滑剤をタンポン本体に網目状に附与した場合の一例を示す斜視図である。
【図５】  本発明に係る生理用タンポンを所要の包装材で包装した状態の一例を示す斜視図である。
【図６】  本発明に係る生理用タンポンをタンポン本体を外筒および内筒からなるタンポン挿入具内に収納した状態の一例を示す一部切欠正面図である。
【図７】  本発明に係る生理用タンポンをタンポン本体を外筒先端開口部から外部へ押し出した状態の一例を示す正面図である。
【図８】  本発明に係る生理用タンポンを収納したタンポン挿入具を所要の包装材で包装した状態の一例を示す斜視図である。
【符号の説明】
１        タンポン本体
１ａ      吸収体
２        引き出し用のひも
３        潤滑剤
４        包装材
４ａ      包装体
５        タンポン挿入具
５ａ      外筒
５ｂ      内筒
５ｃ      先端開口部
【図１】
2006167407.tif 000003
【図２】
2006167407.tif 000004
【図３】
2006167407.tif 000005
【図４】
2006167407.tif 000006
【図５】
2006167407.tif 000007
【図６】
2006167407.tif 000008
【図７】
2006167407.tif 000009
【図８】
2006167407.tif 000010